(57)【要約】【課題】分離した管体を結束して、折り畳んだ状態の杖の姿勢を安定させることができる折り畳み式杖用結束具を提供する。【解決手段】折り畳み式杖用結束具５０は、分離された状態の第１の管体２００と第２の管体３００とを所定の間隔で隔てるための台座部６０と、分離された状態の第１の管体２００及び第２の管体３００を各々固定保持する、開口７２を有する複数の湾曲部材７１からなる管体保持部７０と、を備えている。【選択図】図４
2019134894.tif 000002
【特許請求の範囲】
【請求項１】
管内に挿通された弾性部材によって、互いに分離・連結可能な第１の管体および第２の管体を含む折り畳み式杖に用いられる折り畳み式杖用結束具であって、
前記折り畳み式杖用結束具は、
分離された状態の前記第１の管体と前記第２の管体とを所定の間隔で隔てるための台座部と、
分離された状態の前記第１の管体及び前記第２の管体を各々固定保持する、開口を有する複数の湾曲部材からなる管体保持部と、を備え、
前記湾曲部材は、前記開口が外側を向いた状態で前記台座部に連設されている
折り畳み式杖用結束具。
【請求項２】
前記複数の湾曲部材のうち少なくとも１つの湾曲部材は、前記台座部に近づくように回動可能であること
請求項１に記載の折り畳み式杖用結束具。
【請求項３】
前記台座部には、他の折り畳み式杖用結束具を連結するための連結軸が挿入される挿通穴が形成されている
請求項２に記載の折り畳み式杖用結束具。
【請求項４】
前記台座部の形状は円筒形であり、
前記複数の湾曲部材の前記台座部への連結位置の高さが、前記台座部の軸方向で異なっている
請求項１に記載の折り畳み式杖用結束具。
【請求項５】
管内に挿通された弾性部材によって、互いに分離・連結可能な第１の管体および第２の管体を含むシャフトと、
前記シャフトの上部に設けられたグリップと、
前記分離された第１の管体および第２の管体を結束する結束具をと、を備えた折り畳み式杖であって、
前記結束具は、
分離された状態の前記第１の管体と前記第２の管体とを所定の間隔で隔てるための台座部と、
分離された状態の前記第１の管体及び前記第２の管体を各々固定保持する、開口を有する複数の湾曲部材からなる管体保持部と、を備え、
前記湾曲部材は、前記開口が外側を向いた状態で前記台座部に連設されている
折り畳み式杖。
【発明の詳細な説明】
【技術分野】
【０００１】
本発明は、折り畳み可能な杖を折り畳んだ状態で結束する折り畳み式杖用結束具、及び折り畳み式杖用結束具を備えた折り畳み式杖に関する。
【背景技術】
【０００２】
登山用や高齢者用などに使用される杖を簡便に携帯または保管するために、折り畳み可能な杖が利用されている。
【０００３】
折り畳み可能な杖としては、複数の管体で構成されたシャフトに引っ張り力を有する弾性紐を内蔵させて分離・組立可能にしたものが知られている（特許文献１）。このようにシャフトを分離可能にしたことにより、折り畳んだ状態で収納・持ち運びを簡単にすることができる。
【先行技術文献】
【特許文献】
【０００４】
【特許文献１】実用新案登録第３１４９８５２号公報
【発明の概要】
【発明が解決しようとする課題】
【０００５】
しかしながら、従来の折り畳み式杖は、弾性紐により、折り畳んだ状態から組立状態に戻ろうとする引っ張り力が働いているため、折り畳んだ状態を維持するためにはある程度の力を必要とする。このため、お年寄りのような力の弱い者にとっては折り畳んだ状態を維持することが難しく、例えば折り畳んだ状態の杖を巾着袋等に収納する作業が困難であるという問題があった。
【０００６】
また、折り畳んだ杖が巾着袋等に収納されている状態においては、持ち運ぶ際の振動や衝撃により、分離された状態の管体同士がぶつかって、管体の表面が傷ついてしまうという問題が生じる。
【０００７】
さらには、収納した袋から折り畳んだ杖を取り出す際においては、弾性紐の引っ張り力により組立状態に戻ろうとする管体が手などにぶつかることがあった。
【０００８】
本発明はかかる点に鑑みてなされたもので、分離した状態の管体を結束して、折り畳んだ杖の姿勢を安定させることを目的とする。
【課題を解決するための手段】
【０００９】
上記の目的を達成するため本発明の折り畳み式杖用結束具は、管内に挿通された弾性部材によって、互いに分離・連結可能な第１の管体および第２の管体を含む折り畳み式杖に用いられるものであって、分離された状態の第１の管体と第２の管体とを所定の間隔で隔てるための台座部と、分離された状態の第１の管体及び第２の管体を各々固定保持する、開口を有する複数の湾曲部材からなる管体保持部と、を備え、湾曲部材は、開口が外側を向いた状態で台座部に連設されている。
【００１０】
また、本発明の折り畳み式杖は、管内に挿通された弾性部材によって、互いに分離・連結可能な第１の管体および第２の管体を含むシャフトと、シャフトの上部に設けられたグリップと、分離された第１の管体および第２の管体を結束する結束具をと、を備え、結束具は、分離された状態の第１の管体と第２の管体とを所定の間隔で隔てるための台座部と、分離された状態の第１の管体及び第２の管体を各々固定保持する、開口を有する複数の湾曲部材からなる管体保持部と、を備え、湾曲部材は、開口が外側を向いた状態で台座部の外周端に連結されている。
【発明の効果】
【００１１】
本発明の折り畳み式杖用結束具および折り畳み式杖によれば、分離した状態の管体を結束して、折り畳んだ杖の姿勢を安定させることができる。
【図面の簡単な説明】
【００１２】
【図１】本発明の実施形態例にかかる折り畳み式杖の組立状態の全体図である。
【図２】本発明の実施形態例にかかる折り畳み式杖の管体を分離させた状態の全体図である。
【図３】本発明の実施形態例にかかる折り畳み式杖を折り畳んだ状態の全体図である。
【図４】本発明の実施形態例にかかる結束具の上面図である。
【図５】本発明の実施形態例にかかる結束具の斜視図である。
【図６】本発明の実施形態例にかかる結束具を用いて、折り畳んだ杖を結束させた状態の全体図である。
【図７】本発明の実施形態例にかかる結束具の上面図である。
【図８】本発明の実施形態例にかかる結束具の斜視図である。
【図９】本発明の実施形態例にかかる結束具の斜視図である。
【図１０】本発明の実施形態例にかかる結束具の斜視図である。
【図１１】本発明の実施形態例にかかる結束具の斜視図である。
【発明を実施するための形態】
【００１３】
以下、図面を参照しながら本発明の実施の形態例（以下、本例という。）について詳細に説明する。本発明は、図面に示された例を参考に説明されるが、これは一つの例として説明されるものであり、これによって本発明の技術的思想とその核心構成および作用が制限されるものではない。また、本明細書及び図面において、実質的に同一要素又は同一機能を有する部材には、同一符号を用いることとし、重複する発明は適宜省略する。
【００１４】
図１は、本例の折り畳み式杖の全体図である。
図１に示すように、本例の折り畳み式杖１は、シャフト１０と、このシャフト１０の上端部に取り付けられるグリップ２０と、を備えている。ここでシャフト１０はアルミ材やカーボン材等からなる複数の管体で構成され、このシャフト１０の上端部にＴ字状のグリップ２０が取り付けられている。使用者はグリップ２０を手で握り、シャフト１０の先端で地面を突きながら歩行する。
【００１５】
図２は、本例の折り畳み式杖１のシャフト１０を分離させた状態の全体図である。
図２に示すように、本例の折り畳み式杖１のシャフト１０は、互いに組立・分離可能な４つの管体１００、２００、３００、４００で構成されている。
なお、本例では、シャフト１０を４本の管体で構成したが、３本以下の管体で構成してもよいし、５本以上の管体で構成してもよい。
【００１６】
管体１００、２００、３００、４００は、いずれも中空状に形成され、内部には引っ張り力を有する弾性部材であるゴム紐４０が挿通されている。このように、管体１００、２００、３００、４００は１本のゴム紐４０で繋がっているので、管体１００、２００、３００、４００がすべて分離された状態であっても個別に管理する必要がない。なお、弾性部材として、ゴム紐４０の替わりに引っ張り力を有するスプリング等を用いてもよい。
【００１７】
最上端に位置する管体１００の上端部には、使用者が把持可能なグリップ２０が設けられている。また、最下端に位置する管体４００の下端部には、地面を支持する石突きからなる地面支持部３０が設けられている。
【００１８】
ここでは、管体２００を第１の管体、管体３００を第２の管体と称して、その連結構造について説明する。ただし、第１の管体および第２の管体は必ずしも管体２００と管体３００のみを指すのではなく、シャフト１０を構成する管体１００、２００、３００、４００のうち隣接するように配置されて互いに連結する２つの管体を指す。また、各々の管体は同様の連結構造を備えている。
【００１９】
図に示すように、第１の管体２００の一端には、第１の連結部材２１０が設けられており、第２の管体３００の第１の管体２００と隣接する側の端部には第２の連結部材３１０が結合されている。本例によれば、第１の連結部材２１０および第２の連結部材３１０が互いに結合することで、第１の管体２００および第２の管体３００が連結する。
【００２０】
具体的には、第１の連結部材２１０の内部には、第２の連結部材３１０の傾斜部３１１および小径部３１２に対応する挿入孔が形成されており、傾斜部３１１および小径部３１２が挿入孔に締結されることにより、第１の管体２００および第２の管体３００が互いに連結される。
【００２１】
図３は、管体を分離して折り畳んだ状態を示す本例の折り畳み式杖１の全体図である。
図３に示すように、折り畳み式杖１は、各管体の連結部材の結合が解除され、隣接する管体が隣り合う状態で折り畳まれる。使用者は、このように折り畳んだ状態の杖１を保管・持ち運びすることができる。また、保管・持ち運びする際には巾着袋等に収納してもよい。
【００２２】
図４は、折り畳んだ杖１の分離した管体を結束するための結束具５０の上面図である。
図４に示すように、結束具５０は、台座部６０と管体保持部７０とで構成されている。
台座部６０は、分離された状態の例えば第１の管体２００と第２の管体３００とを所定の間隔で離した状態で保持するための平板状の部材であって、中央部には後述する連結軸を挿入するための挿通穴６１が設けられている。なお、挿通孔６１は無くてもよい。
【００２３】
管体を固定保持するための管体保持部７０は、開口７２を有する固定爪７３からなる複数の湾曲部材７１で構成されている。湾曲部材７１の数は、折り畳み式杖１の分離可能な管体の数に応じて設けられている。本例では、折り畳み式杖１の分離可能な管体が４本であるため、湾曲部材７１の数も４本で構成されている。
【００２４】
湾曲部材７１は、開口７２が外側を向いた状態で台座部６０の外周端部に等間隔で連設されており、固定爪７３により、開口７２から挿入された管体を固定保持する。
【００２５】
本例の結束具５０は、ポリアセタールを用いた射出成型により、台座部６０と管体保持部７０とを一体にして製造されるが、ポリアセタール以外にもバネ性を有する一般的なプラスチック材料を用いることができる。
【００２６】
図５は、本例の結束具５０の斜視図である。
図５に示すように、固定爪７３の内側には、管体の周面と接触する保持平面７４が形成されており、開口７２から挿入された管体の外周面と保持平面７４とが接触した状態で、管体が湾曲部材７１に固定保持される。
【００２７】
図６は、本例の結束具５０を用いて、折り畳んだ杖１を結束させた状態の全体図である。
図６に示すように、結束具５０により分離した状態の管体を固定保持することで、折り畳んだ杖１の姿勢を安定させることができる。これにより、折り畳んだ杖１を巾着袋等に収納する作業を容易に行うことができる。また、収納袋から折り畳んだ杖を取り出す際において、管体が手などにぶつかることを防ぐことができる。
【００２８】
また、台座部６０により、分離された状態の隣接する管体を所定の距離を隔てて保持することができるので、折り畳み式杖１を持ち運ぶ際の振動や衝撃によって管体同士がぶつかって、管体の表面が傷つくことを防止できる。
【００２９】
図７は、他の実施形態例による結束具５１、５２の上面図である。
図７Ａは、折り畳み式杖１の分離できる管体の数が３本の場合に用いられる結束具５１であり、湾曲部材７１の数は３本で構成されている。
図７Ｂは、折り畳み式杖１の分離できる管体の数が５本の場合に用いられる結束具５２であり、湾曲部材７１の数は５本で構成されている。
【００３０】
なお、本例の結束具では、折り畳み式杖の分離できる管体の数に合わせて湾曲部材７１の数が決められているが、分離できる管体の数よりも湾曲部材の数が多ければ、分離した管体を結束することができる。
【００３１】
図８は、他の実施形態例による結束具５３の斜視図である。
図８Ａに示すように、本例の結束具５３は、４本の湾曲部材７１のうち１本の湾曲部材７１０が回動可能に構成されている。湾曲部材７１０は、回動部７５により、台座部６０に対して近づくように回動する。回動部７５は、ピン７８により、別途成型された湾曲部材７１０を台座部６０に軸支することで構成されている。
【００３２】
図８Ｂに示すように、折り畳み式杖１を組立状態にした際に、湾曲部材７１０をシャフト１０に固定した状態で回動部７５を回動させることにより、他の３本の湾曲部材７１がシャフト１０と平行な状態になるように折り畳むことができる。これにより、折り畳み式杖１を使用する際に結束具５３が邪魔にならないようにすることができる。
【００３３】
図９は、他の実施形態例による結束具５５の斜視図である。
図９に示すように、本例の結束具５５は、固定爪７３の保持平面７４がシャフト１０の軸方向に沿って延びるいわゆるロングバージョンといわれるものである。このように、保持平面７４の面積を大きくすることで、固定爪７３による管体の保持力を強くすることができる。本例の結束具５５によれば、分離された状態の管体を確実に結束して、折り畳んだ杖１の姿勢を安定させることができる。
【００３４】
図１０は、２つの結束具５０を連結させて構成された二連結束具８０の全体斜視図である。
図１０に示すように、棒状の連結軸７７を用いて２つの結束具５０を連結させることにより、二連結束具８０を構成する。すなわち、連結軸７７の一端を一の結束具５０の台座部６０の挿通穴６１に挿入して固定し、連結軸７７の他端にもう１つの結束具５０の挿通穴６１を嵌合させて、二連結束具８０を構成する。
【００３５】
本例の二連結束具８０によれば、分離された状態の管体を２箇所で結束することができるので、折り畳んだ杖１の姿勢をより確実に安定させることができる。
【００３６】
図１１は、他の実施形態例による結束具５６の斜視図である。
図１１に示すように、本例の結束具５６の台座部６０は円筒形状に形成されており、４本の湾曲部材１７１〜１７４が台座部６０の外周面に連設されている。このとき、台座部６０に連設された隣り合う湾曲部材の高さが、台座部６０の軸方向において互いに異なるように配置される。具体的には、台座部６０の最下部に湾曲部材１７１が設けられ、湾曲部材１７１に隣接する湾曲部材１７２が、湾曲部材１７１の少し上方の位置に設けられている。また、湾曲部材１７２に隣接する湾曲部材１７３が湾曲部材１７２の少し上方の位置に設けられている。さらに、湾曲部材１７３に隣接する湾曲部材１７４が、湾曲部材１７３よりも少し上方となる台座部６０の最上部に設けられている。
【００３７】
このように、本例の結束具５６では、台座部６０に対して隣り合う湾曲部材の高さを少しずつ異ならせて螺旋状に配置することで、各湾曲部材の区別をつけやすくすることができる。これにより、分離した状態の管体を結束具５６で結束する際に、湾曲部材に固定保持させる管体の順番を間違えてしまうことを防止できる。例えば、管体１００を湾曲部材１７１に固定保持させた後、管体１００に隣り合う管体２００を湾曲部材１７１に隣り合う湾曲部材１７２に固定保持させやすくなる。同様にして、管体２００に隣り合う管体３００を湾曲部材１７２に隣り合う湾曲部材１７３に、管体３００に隣り合う管体４００を湾曲部材１７３に隣り合う湾曲部材１７４に固定保持させやすくできる。
【００３８】
すなわち、順番を間違えて、管体１００を湾曲部材１７１に固定保持させた後、管体２００を湾曲部材１７３に固定保持させてしまうと、管体が１本のゴム紐４０で連結されている関係から、管体３００を湾曲部材１７４に固定保持させることになり、管体４００を湾曲部材で固定保持することができなくなってしまう。本例の結束具５６を用いることで、このような事態を防ぐことができる。
【００３９】
以上、本発明の実施の形態例について説明したが、本発明はこれらの実施形態例に限ることなく、他にも種々の実施形態を採り得るものであることは言うまでもない。例えば、結束具の台座部６０の形状は、上述した例の形状に限定されるものではなく、湾曲部材７１に固定保持された管体を所定の間隔で離すことができるものであればよい。
【符号の説明】
【００４０】
１・・・折り畳み式杖、１０・・・シャフト、２０・・・グリップ、３０・・・地面支持部、４０・・・ゴム紐、５０、５１、５３、５５、５６・・・結束具、６０・・・台座部、６１・・・挿通穴、７０・・・管体保持部、７１、７１０・・・湾曲部材、７２・・・開口、７３・・・固定爪、７４・・・保持平面、７７・・・連結軸、８０・・・二重結束具、１００、２００、３００、４００・・・管体、２１０・・・第１の連結部材、３１０・・・第２の連結部材、３１１・・・傾斜部、３１２・・・小径部
【図１】
2019134894.tif 000003
【図２】
2019134894.tif 000004
【図３】
2019134894.tif 000005
【図４】
2019134894.tif 000006
【図５】
2019134894.tif 000007
【図６】
2019134894.tif 000008
【図７】
2019134894.tif 000009
【図８】
2019134894.tif 000010
【図９】
2019134894.tif 000011
【図１０】
2019134894.tif 000012
【図１１】
2019134894.tif 000013